(57)【要約】【課題】  野良猫等が侵入するのを防止する猫侵入防止装置であって、天候状態に左右されず、広範囲にわたって使用できるものでありながら、安価で、簡単に設置、使用、取り外しができ、空間的にも嵩張らず美観を損なわない猫侵入防止装置およびその方法を提供すること。【解決手段】  所定の大きさに加工した方形状のネット１と、前記ネット１の対向する２辺を固定するために所定の間隔で打ち込まれる杭２とからなる、あるいは、所定の大きさに加工した方形状のネット１と、前記ネット１のある一辺を固定するために所定の間隔で打ち込まれる杭２と、前記ネット１のある一辺の対辺に取り付けられた錘用の水を内包できる収容体３とからなる猫侵入防止装置、あるいは、これらを敷設する猫侵入防止方法の構成としたこと。【選択図】        図１
2005278553.tif 000002
【特許請求の範囲】
【請求項１】
所定の大きさに加工した方形状のネット(1)と、前記ネット(1)の対向する２辺を固定するために所定の間隔で打ち込まれる杭(2)とからなる猫侵入防止装置。
【請求項２】
所定の大きさに加工した方形状のネット(1)と、前記ネット(1)のある一辺を固定するために所定の間隔で打ち込まれる杭(2)と、前記ネット(1)のある一辺の対辺に取り付けられた錘用の水を内包できる収容体(3)とからなる猫侵入防止装置。
【請求項３】
所定の大きさに加工した方形状のネット(1)の対向する２辺を所定の間隔で杭(2)を打ち込んで固定してネット(1)を敷設する猫侵入防止方法。
【請求項４】
所定の大きさに加工した方形状のネット(1)のある一辺を所定の間隔で杭(2)を打ち込んで固定し、前記ネット(1)のある一辺の対辺に取り付けられ錘用の水を内包させた収容体(3)を所定の場所に載置してネット(1)を敷設する猫侵入防止方法。
【発明の詳細な説明】
【技術分野】
【０００１】
本発明は、猫、特に野良猫が、例えば住宅の敷地内や、幼稚園、保育園、公園の砂場や、芝生等に侵入するのを防止するために地面に敷設して使用する猫侵入防止装置およびその方法に関するものである。
【背景技術】
【０００２】
従来から、野良猫は、例えば、住宅の敷地内で水はけをよくするために砂利を敷き詰めた場所に侵入して糞尿をしたり、あるいは、幼稚園や保育園の砂場に侵入して糞尿をしたり、あるいは、住宅や公園等の芝生に侵入して糞尿をしたりして、生活環境を乱すことは度々である。このことは、美観・景観や公衆衛生面の観点から非常に大きな問題である。
【０００３】
これに対する対策として、例えば、特開平１１−１３７１６０号公報では通気孔が形成されたケース本体に忌避剤を収容し野良猫やカラス等のような住宅街に棲息・出没する動物等を殺すことなく効率的に駆除する発明がなされている。また、特開平７−３２２８０５号公報では、犬、猫などの動物類が本能的に危険信号と察知し、忌避する特定の周波数の超音波を発生させる装置を特定区域への犬、猫などの動物類の侵入路に配設して、犬、猫などの動物類の侵入を未然に防止する発明がなされている。また、特開２００１−２７９６２４号公報では、犬および猫等の動物が遊技場の砂場に侵入することを防止するための砂場用防護フェンスの発明がなされている。その他、幼稚園や保育園の砂場では、不使用時には砂場をブルーシートで覆って野良猫等が砂場に直接糞尿をするのを防止するという工夫がなされている。
【特許文献１】特開平１１−１３７１６０
【特許文献２】特開平７−３２２８０５
【特許文献３】特開２００１−２７９６２４
【発明の開示】
【発明が解決しようとする課題】
【０００４】
しかしながら、引用文献１のように薬剤を用いて野良猫やカラス等を殺すことなく効率的に駆除する方法では、晴天の日はよいが、雨天の日は薬剤が雨で流される、あるいは雨と混ざり合って効力がなくなる等して野良猫やカラス等を駆除することができないという問題がある。また、引用文献２のように超音波を用いて犬、猫などの動物類の侵入を未然に防止する装置では、狭い区域であればよいが、広い区域であると超音波がカバーできない区域から侵入してくることが考えられ、このために装置の台数を増やしたり、広範囲をカバーできる装置にしたりすると費用が嵩んでしまうという問題がある。また、引用文献３のようにフェンスを設置して犬および猫等の動物が侵入するのを防止する方法では、広い区域であると設置や取り外しが大変であり、空間的なスペースを多くとるという問題がある。また、ブルーシートで覆って野良猫が糞尿をするのを防止するという方法では、ブルーシートが風で飛ばされたり、雨水がブルーシートに溜まったりして不便であり、住宅の敷地内で使用する場合には美観の面からも好ましくない。
【０００５】
そこで、本発明は、野良猫等が侵入するのを防止する猫侵入防止装置であって、天候状態に左右されず、広範囲にわたって使用できるものでありながら、安価で、簡単に設置、使用、取り外しができ、空間的にも嵩張らず美観を損なわない猫侵入防止装置およびその方法を提供するものである。
【課題を解決するための手段】
【０００６】
この課題を解決するために講じた本発明にいう猫侵入防止装置の構成を、実施例を示す図面に使用した符号を用いて説明すると、本発明は、所定の大きさに加工した方形状のネット１と、前記ネット１の対向する２辺を固定するために所定の間隔で打ち込まれる杭２とからなる構成にかかるものである。
【０００７】
また、本発明にいう猫侵入防止装置の別の構成は、所定の大きさに加工した方形状のネット１と、前記ネット１のある一辺を固定するために所定の間隔で打ち込まれる杭２と、前記ネット１のある一辺の対辺に取り付けられた錘用の水を内包できる収容体３とからなる構成にかかるものである。
【０００８】
また、この課題を解決するために講じた本発明にいう猫侵入防止方法は、所定の大きさに加工した方形状のネット１の対向する２辺を所定の間隔で杭２を打ち込んで固定してネット１を敷設する構成にかかるものである。
【０００９】
また、本発明にいう猫侵入防止方法の別の構成は、所定の大きさに加工した方形状のネット１のある一辺を所定の間隔で杭２を打ち込んで固定し、前記ネット１のある一辺の対辺に取り付けられ錘用の水を内包させた収容体３を所定の場所に載置してネット１を敷設する構成にかかるものである。
【発明の効果】
【００１０】
本発明の請求項１に記載の猫侵入防止装置によれば、方形状のネットを敷設する構成であるので、猫がその上を移動するとネットに足が絡まるようになっており、猫もそれを理解しているのでネット上を通過することがなく、猫の侵入を防止することができる。また、ネットを載置固定する構成であるので、空間的に嵩張らず、また、その構成が簡素であるので、容易に設置、取り外しをすることができ、取り外したネットは巻きつける、あるいは、折り畳むことにより、コンパクトに持ち運びしたり、収納したりすることができる。さらに安価な部材で構成されているので、複数体連接して用いても費用が嵩まずに容易にかつ効率的に広範囲をカバーすることもできる。
【００１１】
また、本発明の請求項２に記載の猫侵入防止装置によれば、請求項１に記載の猫侵入防止装置の効果に加えて、収容体に水を充填する構成であることにより、使用時には収容体に水を充填して猫侵入防止装置が浮き上がることを防止する簡素な重りとして、安定的に敷設することができるものでありながら、ネットのある一辺に杭が打ち込まれ、その対辺に収容体が取り付けられている構成であるので、不使用時にはネットの収容体が取り付けられた側を杭が打ち込まれた側に寄せてネットを束ねることにより、ネットが人の足に絡むことがなく、人が通る通路の確保が容易にでき、使用時には再び、収容体が取り付けられた側を元に戻すことでネットの敷設が容易にできる。
【００１２】
本発明の請求項３に記載の猫侵入防止方法によれば、方形状のネットを敷設する構成であるので、猫がその上を移動するとネットに足が絡まるようになっており、猫もそれを理解しているのでネット上を通過することがなく、猫の侵入を防止することができる。また、ネットを載置固定する構成であるので、空間的に嵩張らず、また、その構成が簡素であるので、容易に設置、取り外しをすることができ、取り外したネットは巻きつける、あるいは、折り畳むことにより、コンパクトに持ち運びしたり、収納したりすることができる。さらに安価な部材で構成されているので、複数体連接して用いても費用が嵩まずに容易にかつ効率的に広範囲をカバーすることもできる。
【００１３】
また、本発明の請求項４に記載の猫侵入防止方法によれば、請求項３に記載の猫侵入防止方法の効果に加えて、収容体に水を充填する構成であることにより、使用時には収容体に水を充填してネットが浮き上がることを防止する簡素な重りとして、安定的に敷設することができるものでありながら、ネットのある一辺に杭が打ち込まれ、その対辺に取り付けられ錘用の水を内包させた収容体を載置する構成であるので、不使用時にはネットの収容体が取り付けられた側を杭が打ち込まれた側に寄せてネットを束ねることにより、ネットが人の足に絡むことがなく、人が通る通路の確保が容易にでき、使用時には再び、収容体が取り付けられた側を元に戻すことでネットの敷設が容易にできる。
【発明を実施するための最良の形態】
【００１４】
本発明を実施するに当たってネット１の網目は方形状、六角形状等様々な形状で実施することができるが、最も一般的な正方形状とした場合には、猫の足に効率的に絡むように網目の一辺の大きさが３０ｍｍ以下で実施するのが好ましい。また、収容体３は、任意の形状で実施できるものであるが、内部に水を収容するものであり、かつ、ネットの１の一辺を効果的に固定するために、チューブ等の筒状体として実施するのが好ましい。
【００１５】
請求項２または４に記載の構成で本願発明を実施する場合には、前記収容体３はネット１に対して着脱自在に取り付けられる構成で実施すると、必要に応じ収容体３に替えて杭２で固定することにより、両方の辺を完全固定することができる。すなわち、請求項１または３に記載の構成でも実施することができる。
【００１６】
また、収容体３はコスト面から合成樹脂製とすることが好ましく、さらに好ましくは、収縮自在のやわらかい合成樹脂素材で形成するのがよい。これにより、不使用時に、収容体３から水を抜き取って収容体３を収縮させることができるので、巻きつけた、あるいは折り畳んだネットとともによりコンパクトな状態で持ち運びや収納ができる。
【実施例】
【００１７】
以下、本発明の実施例を図示例と共に説明する。図１乃至図５は本願発明の第１実施例を示す図であって、図１は敷設状態を示す平面図、図２は収容体３を杭２側に寄せた状態を示す平面図、図３は杭２の拡大側面図、図４は収容体３の拡大斜視図、図５はネット１と収容体３の連結状態を示す拡大図を示す。
【００１８】
該実施例は、野良猫を対象とした野良猫防止装置であって、図１に示したように、１０００ｍｍ×２０００ｍｍに加工した方形状のネット１の対向する長辺のうちの一辺は杭２を打ち込んで地面に固定しており、その対辺は重り用の水を内包させた収容体３を取り付けている。
【００１９】
各部材についてより詳しく説明すると、ネット１は、長さが１００ｍ単位のもので、網目の大きさが１７ｍｍ四方の市販のネットを大きさ１０００ｍｍ×２０００ｍｍの方形状に切断加工したものである。素材は、ナイロンを使用したものであり、周囲の環境の美感を考慮して色は透明のものを用いている。
【００２０】
杭２は、その使用素材は、合成樹脂、金属等種々考えられるが、コスト、成形性、安全性、取り扱い易さの面からポリプロピレンにガラス繊維を混合したものを素材として鋳型成形させている。その主要な構成は、図３に示したように、正円形状の平板２１と、正円形状の平板２１の下部に直に連接され、かつ、該平板２１の中心部を垂直に貫く軸（以下中心軸とする）から外方に向かって隣同士が直になるように四方向に突出形成した４枚の羽根２２とからなり、その下部末端は地面に打ち込むための先端部分とするために、中心軸から外方に向かって突出させる量を下部末端に向かうに従い漸次小さくして先端を尖らせてある。また、正円形状の平板２１の側面の中心軸に対して対称な位置からそれぞれ、外方に向かって突出させ、その終端からさらに下方に突出させた２箇所の略Ｌ字型の鉤部２３を形成している。また、中心軸から突出させた４枚の羽根２２の突出端面の任意の場所から、上面を外方に向かって直に突出させ、その上面の突出側終端から中心軸側に向かって斜め下方に傾斜させた、三角柱形状の止め部２４がそれぞれの羽根２２の突出端面のランダムな位置に形成されている。止め部２４は地面に打ち込まれた杭２が抜け方向へ移動することに対して抵抗となり、打ち込まれた杭２を抜けにくくして、ネット１の一端を確実に固定する。なお、本実施例では杭２の長さは１５ｃｍとしている。
【００２１】
収容体３は、ポリエチレンテレフタレート樹脂を射出成形して成形しており、収縮自在のやわらかい薄膜構造のチューブとしてある。図４に示したように、その形状は、内部が中空の略円柱状に成形され、より詳しくは略円柱状の側面部分を長さ方向に５等分するそれぞれの位置で、内径を周面から均等に小さく絞り込んだ絞り部３１が４箇所形成されている形状としている。外形上は、５つの大円柱３２と大円柱３２よりも円径および長さの小さい４つの小円柱３３が共通の中心軸においてそれぞれの底面部分で交互に連結した構造となっており、一連の大円柱３２と小円柱３３の内部の中空部分は重り用の水の収容空間を形成している。そして、図４に示したように、円柱の側面（大円柱３２の側面部分）を地面に接させた状態からみて、半分の高さの位置で全周に亘って外方向に突出させたフランジ３４を形成している。一端の大円柱３２の側面には重り用の水を出し入れする部分を設け、回栓式の溝を備えた栓３５で封止する構造としている。図５に示したように、それぞれの大円柱３２には、その側面から突出させたフランジ３４部分で、中心軸から見て対称となる位置には、２つのホック雌部３６ａ，３６ｂが形成されている。
【００２２】
図５に示したように、収容体３のネット１に対する取り付けは、前記ホック雌部３６ａ，３６ｂと嵌合するホック雄部４６ａ，４６ｂが両端に形成されたバンド４を用いる。収容体３をネット１上に載置し、バンド４の一端のホック雄部３６ａを収容体３のホック雌部４６ａと嵌合させ、他端はネット１に通してその１マス分を収容体３の大円柱３２とバンド４の間に抱き込ませてからホック雄部３６ｂと収容体３のホック雌部４６ｂを嵌合させる。
【００２３】
なお、本実施例では、収容体３は、５つの大円柱３２と４つの小円柱３３とフランジ部３４からなる構造で、全長を５００ｍｍ、大円柱３２の長さを８０ｍｍ、小円柱の長さを２０ｍｍ、フランジ部３４の幅を１０ｍｍ、大円柱３２の径を３０ｍｍとしているが、言うまでもなく、収容体３の形状、構造、サイズは任意であり、適宜の形態で実施することができる。本実施例の収容体３に水を充填すると、およそ２８０ｇとなり、およそレンガ１個分に相当する。本実施例では、２０００ｍｍの辺に全長５００ｍｍの収容体３を４つ連接させて取り付けている。
【００２４】
該実施例の野良猫防止装置の使用方法は、図１に示したように、ネット１を敷設し、対向する長辺のうちの一辺の端部に沿って、両端を含めて１０００ｍｍ間隔に３本の杭を打ち込み、対向する長辺のうちの一辺を固定している。その対辺には、錘用の水を充填した収容体３が取り付けられており、収容体３を所定の位置に載置することによりネット１を敷設する。そして、不使用時には、図２に示したように、収容体３を杭２に接近する方向に移動させてネット１を束ねておき、使用時には、再び収容体３を杭２から離遠する方向に移動させて、図１に示したように、ネット１を敷設する。使用後かたづけるときは、杭２を抜き取り、栓３５をはずして水を抜き取り、収容体３を収縮させてネット１を巻きつける、あるいは、折り畳む。
【００２５】
図６は、第１実施例の変形例を示す図であり、ネット１から収容体３を取り外し、対向する反対側の辺と同様に、両端を含めて１０００ｍｍ間隔に３本の杭２で固定し、ネット１を横ずれしないように完全に固定させている。その他の構成は第１実施例と同様である。
【００２６】
図７は、第２実施例を示す図であり、ネットの大きさを１０００ｍｍ×１０００ｍｍとし、対向する２辺のうちの一辺に杭２を打ち込むループ５を両端の２箇所とこれらの中間を４等分するように３箇所の計５箇所設け、他辺に収容体３を２つ連接させて取り付けている。ループ５に杭２を打ち込み、杭２の羽根２２と２箇所のＬ字型の鉤部２３の間にループ５を挟みこんで固定する。その他の構成は第１実施例と同様である。
【００２７】
図８は、第３実施例を示す図であり、複数の猫侵入防止装置を連接させた斜視図である。ネット１の大きさを２０００ｍｍ×４０００ｍｍとし、対向する２０００ｍｍの辺のうちの一方を３本の杭２で両端を含めて１０００ｍｍ間隔に打ちつけて固定し、他方を４つの収容体３を取り付けた構成としている。そして、該猫侵入防止装置を幅方向に３つ連接させて使用している。このように広い区域で使用したい場合には、野良猫防止装置を縦横にいくつか連接させて使用すればよく、逆に狭い区域で使用したい場合には、ネット１を折りたたむ等して適宜工夫して使用することができる。個々の猫侵入防止装置のその他の構成は第１実施例と同様である。
【００２８】
以上本発明の代表例と思われる実施例について説明したが、本発明の猫侵入防止装置は、上述の実施例にのみ限定されるものではなく、例えば、ネット１の大きさ、杭２の形状、収容体３の形状、および収容体３のネット１への取り付け方等は任意であり、その他本発明にいう前記の構成要件を備え、かつ本発明にいう目的を達成し、本発明にいう効果を有する範囲内において適宜改変して実施することができるものである。
【産業上の利用可能性】
【００２９】
本発明の猫侵入防止装置は、住宅の敷地内の砂利を敷き詰めた場所や、幼稚園、保育園、公園の砂場や、芝生等に野良猫が侵入して糞尿をするのを容易かつ確実に防止することができる装置として利用可能である。
【図面の簡単な説明】
【００３０】
【図１】第１実施例の敷設状態を示す平面図。
【図２】第１実施例の敷設状態で収容体３を杭２側に寄せた状態を示す平面図。
【図３】第１実施例の杭２の拡大側面図。
【図４】第１実施例の収容体３の拡大斜視図。
【図５】第１実施例のネット１と収容体３の連結状態を示す拡大図。
【図６】第１実施例変形例の敷設状態を示す平面図。
【図７】第２実施例の敷設状態を示す平面図。
【図８】第３実施例の敷設状態を示す斜視図。
【符号の説明】
【００３１】
１  ネット
２  杭
２１  平板
２２  羽根
２３  鉤部
２４  止め部
３  収容体
３１  絞り部
３２  大円柱
３３  小円柱
３４  フランジ
３５  栓
３６ａ，３６ｂ  雄部
４  バンド
４６ａ，４６ｂ  雌部
５  ループ
【図１】
2005278553.tif 000003
【図２】
2005278553.tif 000004
【図３】
2005278553.tif 000005
【図４】
2005278553.tif 000006
【図５】
2005278553.tif 000007
【図６】
2005278553.tif 000008
【図７】
2005278553.tif 000009
【図８】
2005278553.tif 000010